【手続補正書】
【提出日】平成17年8月17日(2005.8.17)
【手続補正１】
【補正対象書類名】特許請求の範囲
【補正対象項目名】全文
【補正方法】変更
【補正の内容】
【特許請求の範囲】
【請求項１】
複数の移動ノード(MS/MN)と、アクセスシステムの第１及び第２部分(RAN1,RAN2)内で上記移動ノードに各々サービスする第１及び第２アクセスノード(SGSN1,SGSN2)と、アクセスシステムの上記第１部分(RAN1)を外部ネットワーク(12)とインターフェイスするための少なくとも１つの第１ゲートウェイノード(GGSN1)と、該少なくとも１つの第１ゲートウェイノード(GGSN1)に関連され、そしてアクセスシステムの第１部分(RAN1)に登録される間に移動ノード(MS/MN)にマクロ移動管理ルーティングサービスを提供するように構成された第１移動エンティティ(FA1)とを備えたアクセスシステムにおいて移動ノードのマクロ移動管理を行う方法であって、上記第１アクセスノード(SGSN1)及び上記第１移動エンティティ(FA1)を経て上記複数の移動ノード(MS/MN)の１つと第２の当事者との間にセッションを確立する段階を含む方法において、
上記第１移動エンティティ(FA1)よりルーティングに関して更に好ましい第２移動エンティティ(FA2)があるかどうかチェックし、そして
上記チェックに応答して、
Ａ）上記第１移動エンティティ(FA1)より更に好ましい第２移動エンティティがない場合には、上記第１移動エンティティ(FA1)への接続を維持し、そして 
Ｂ）上記更に好ましい第２移動エンティティ(FA2)が得られる場合には、その第２移動エンティティ(FA2)への新たな接続を確立し、そしてマクロ移動管理登録を開始する、
という段階を更に含むことを特徴とする方法。
【請求項２】
上記アクセスシステムの第２部分(RAN2)への上記１つの移動ノード(MS/MN)の移動に応答して上記第２アクセスノード(SGSN2)を経てセッションをリルーティングする請求項１に記載の方法。
【請求項３】
上記更に好ましい第２移動エンティティ(FA2)が得られるときに上記第１移動エンティティ(FA1)への接続を解放する請求項１又は２に記載の方法。
【請求項４】
上記マクロ移動管理は、インターネットプロトコル型、即ちＩＰ型の移動管理であり、そしてエージェント広告メッセージが上記第２移動エンティティ(FA2)から上記新たな接続を経て上記１つの移動ノード(MS/MN)に送信され、上記エージェント広告メッセージは、上記１つの移動ノード(MS/MN)がアタッチメントポイントの変化を検出して移動ＩＰ登録を開始できるようにする請求項１、２、又は３に記載の方法。
【請求項５】
上記第２アクセスノード(SGSN2)の上記好ましい移動エンティティ(FA2)の識別を上記第２アクセスノードに記憶し、
上記第２アクセスノード(SGSN2)において、上記第１アクセスノード(SGSN1)から上記第２アクセスノード(SGSN2)への上記１つの移動ノードの移動に応答して、上記第１移動エンティティ(FA1)の識別及び上記好ましい移動エンティティ(FA2)の上記記憶されたエンティティが一致するかどうかチェックし、
上記識別が一致する場合には上記第１移動エンティティ(FA1)への接続を維持し、そして
上記識別が一致しない場合には、上記第１移動エンティティ(FA1)への接続を解放しそして上記好ましい移動エンティティ(FA2)への新たな接続を確立する請求項１ないし４のいずれかに記載の方法。
【請求項６】
無線アクセスシステムにおいて、接続を解放し及び確立する上記段階は、パケットプロトコルコンテキストを削除し及び生成する段階を含む請求項１ないし５のいずれかに記載の方法。
【請求項７】
移動ノードに関連する移動ステーションのパケットプロトコルコンテキストを、パケット無線プロトコルコンテキストのどれがマクロ移動管理に関連するかを指示する情報と共に、第１アクセスノードから第２アクセスノードへ転送し、
マクロ移動管理に関連したパケットプロトコルコンテキストを第２アクセスノードにおいて上記情報に基づいて考えられる他のパケットプロトコルコンテキストから区別し、そして
マクロ移動管理に関連したパケットプロトコルコンテキストのみに対して上記生成及び削除段階を遂行する、
という段階を含む請求項６に記載の方法。
【請求項８】
上記第２アクセスノードの上記好ましい移動エンティティは、アクセスネットワークの上記第２部分(RAN2)においてゲートウェイノード(GGSN2)に関連した外部エージェント(FA2)である請求項１ないし７のいずれかに記載の方法。
【請求項９】
上記識別は、移動エンティティ(FA1,FA2)のアドレスを含む請求項１ないし８のいずれかに記載の方法。
【請求項１０】
複数の移動ノード(MS/MN)と、アクセスシステムの第１及び第２部分(RAN1,RAN2)内で上記移動ノードに各々サービスする第１及び第２アクセスノード(SGSN1,SGSN2)と、アクセスシステムの上記第１部分(RAN1)を外部ネットワーク(11)とインターフェイスするための少なくとも１つの第１ゲートウェイノード(GGSN1)と、該少なくとも１つの第１ゲートウェイノード(GGSN1)に関連されそして上記移動ノードがアクセスシステムの第１部分(RAN1)に登録される間に上記移動ノードのいずれか１つに接続をルーティングするように構成された第１移動エンティティ(FA1)とを備えたアクセスシステムにおいて、
このアクセスシステムは、上記第１移動エンティティ(FA1)よりルーティングに関して更に好ましい第２移動エンティティ(FA2)があるかどうかチェックするように構成され、
上記アクセスシステムは、上記チェックに基づき、上記更に好ましい第２移動エンティティ(FA2)が得られる場合には、その第２移動エンティティ(FA2)への新たな接続を確立するように構成され、そして
上記移動ノード(MS/MN)は、上記新たな接続によるアタッチメントの変化を検出しそしてマクロ移動管理の登録を開始するように構成されたことを特徴とするアクセスシステム。
【請求項１１】
上記接続を最初に上記第１アクセスノード(SGSN1)を経てルーティングし、そして上記１つの移動ノード(MS/MN)からアクセスシステムの上記第２部分(RAN2)への移動に応答して上記第２アクセスノード(SGSN2)を経て上記第１移動エンティティ(FA1)をルーティングできるようにするリルーティングメカニズムを備えた請求項１０に記載のシステム。
【請求項１２】
上記システムは、上記チェックに基づき上記更に好ましい第２移動エンティティ(FA2)が得られるときに上記第１移動エンティティ(FA1)への接続を解放するように構成された請求項１０又は１１に記載のシステム。
【請求項１３】
上記マクロ移動管理は、インターネットプロトコル型即ちＩＰ型の移動管理であり、
上記第２移動エンティティ(FA2)は、エンティティ広告メッセージを上記新たな接続を経て上記１つの移動ノード(MS/MN)に送信するように構成され、そして上記移動ノード(MS/MN)は、上記エンティティ広告メッセージによるアタッチメントの変化を検出して移動ＩＰ登録を開始するように構成された請求項１０、１１又は１２に記載のシステム。
【請求項１４】
上記第２アクセスノードの上記好ましい移動エンティティは、アクセスネットワークの上記第２部分(RAN2)においてゲートウェイノード(GGSN2)に関連した外部エージェント(FA2)である請求項１０ないし１３のいずれかに記載のシステム。
【請求項１５】
上記第２アクセスノード(SGSN2)は、上記チェックを行うように構成された請求項１０ないし１４のいずれかに記載のシステム。
【請求項１６】
上記第２アクセスノード(SGSN2)は、チェックのために上記好ましい外部エージェント(FA2)のアドレスのような識別を記憶するように構成された請求項１０ないし１５のいずれかに記載のシステム。
【請求項１７】
上記接続の解放及び確立は、第１移動エンティティ(FA1)のゲートウェイノード(GGSN1)においてパケットプロトコルコンテキストを削除し、そして好ましい移動エンティティ(FA2)のゲートウェイノード(GGSN2)においてパケットプロトコルコンテキストを生成することを含む請求項１０ないし１６のいずれかに記載のシステム。
【請求項１８】
上記接続の維持は、第１移動エンティティ(FA1)のゲートウェイノード(GGSN1)において移動ノード(MS/MN)のパケットプロトコルコンテキストを更新することを含む請求項１７に記載のシステム。
【請求項１９】
移動ノードに関連した移動ステーションのパケットプロトコルコンテキストは、パケットプロトコルコンテキストのどれがマクロ移動管理に関連するかを指示する情報に関連付けされ、そして上記アクセスノードは、マクロ移動管理に関連したパケットプロトコルコンテキストを上記情報に基づいて他の考えられるパケットプロトコルコンテキストから区別するように構成され、そしてマクロ移動管理に関連したパケットプロトコルコンテキストのみに対して上記生成及び削除段階を遂行する請求項１７又は１８に記載のシステム。
【請求項２０】
上記情報は、上記他のアクセスノードから上記アクセスノードへパケットプロトコルコンテキストを転送するメッセージにおいて与えられる請求項１９に記載のシステム。
【請求項２１】
複数の移動ノード(MS/MN)と、アクセスシステムの各部分(RAN1,RAN2)内で上記移動ノードにサービスするアクセスノード(SGSN1,SGSN2)と、アクセスシステムを外部ネットワーク(11)とインターフェイスするための少なくとも２つのゲートウェイノード(GGSN1,GGSN2)と、該少なくとも２つのゲートウェイノード(GGSN1,GGSN2)の各々に関連され、そしてアクセスシステムに登録される間に上記移動ノード(MS/MN)にマクロ移動管理ルーティングサービスを提供するように構成された少なくとも２つの移動エンティティ(FA1,FA2)とを備えたアクセスシステムのためのアクセスノードにおいて、
別のアクセスノード(SGSN1)及び第１移動エンティティ(FA1)を通る接続を有する移動ノード(MS/MN)が上記アクセスノード(SGSN2)を経て上記アクセスシステムにアクセスするときに、上記第１移動エンティティ(FA1)よりルーティングに関して更に好ましい別の移動エンティティがあるかどうかチェックするための手段と、
上記チェック手段に応答して、上記更に好ましい他の移動エンティティ(FA2)が得られる場合には、その好ましい他の移動エンティティ(FA2)への新たな接続を確立するための手段と、
を備えたことを特徴とするアクセスノード。
【請求項２２】
上記更に好ましい他の移動エンティティ(FA2)が得られるときに上記第１移動エンティティ(FA1)への接続を解放するための手段を備えた請求項２１に記載のアクセスノード。
【請求項２３】
上記チェック手段は、
上記アクセスノード(SGSN2)の上記好ましい他の移動エンティティ(FA2)のアドレスのような識別を記憶するための手段と、
上記移動ノード(MS/MN)が上記他のアクセスノード(SGSN1)から上記アクセスノード(SGSN2)へ移動するのに応答して、上記第１移動エンティティ(FA1)の識別と上記好ましい移動エンティティ(FA2)の上記記憶された識別とが一致するかどうかチェックするための手段と、
を含む請求項２１又は２２に記載のアクセスノード。
【請求項２４】
上記解放及び確立手段は、
上記識別が一致する場合に、上記第１移動エンティティ(FA1)への接続を維持するための手段と、
上記識別が一致しない場合に、上記第１移動エンティティ(FA1)への接続を解放しそして上記好ましい移動エンティティ(FA2)への新たな接続を確立するための手段と、
を含む請求項２１、２２又は２３に記載のアクセスノード。
【請求項２５】
上記アクセスシステムは、無線アクセスシステムであり、そして接続を解放及び確立する上記手段は、第１移動エンティティ(FA1)のゲートウェイノード(GGSN1)においてパケットプロトコルコンテキストを削除しそして好ましい移動エンティティ(FA2)のゲートウェイノード(GGSN2)においてパケットプロトコルコンテキストを生成するための手段を含む請求項２１ないし２４のいずれかに記載のアクセスノード。
【請求項２６】
接続を維持する上記手段は、第１移動エンティティ(FA1)のゲートウェイノード(GGSN1)において移動ノード(MS/MN)のパケットプロトコルコンテキストを更新するための手段を含む請求項２５に記載のアクセスノード。
【請求項２７】
移動ノードに関連した移動ステーションのパケットプロトコルコンテキストは、パケットプロトコルコンテキストのどれがマクロ移動管理に関連するかを指示する情報に関連付けされ、そして上記アクセスノードは、マクロ移動管理に関連したパケットプロトコルコンテキストを上記情報に基づいて他の考えられるパケットプロトコルコンテキストから区別し、そしてマクロ移動管理に関連したパケットプロトコルコンテキストのみに対して上記生成及び削除段階を遂行するように構成された請求項２５又は２６に記載のアクセスノード。
【請求項２８】
上記情報は、上記他のアクセスノードから上記アクセスノードへパケットプロトコルコンテキストを転送するメッセージにおいて与えられる請求項２７に記載のアクセスノード。
【請求項２９】
上記マクロ移動管理は、インターネットプロトコル型即ちＩＰ型の移動管理である請求項２１ないし２８のいずれかに記載のアクセスノード。
【手続補正２】
【補正対象書類名】明細書
【補正対象項目名】００１３
【補正方法】変更
【補正の内容】
【００１３】
この目的は、独立請求項に記載した本発明の方法、システム及びアクセスノードによって達成される。本発明の好ましい実施形態は、従属請求項に記載する。
本発明において、セッション中のハンドオーバーのターゲットであるサポートノード、より一般的には、アクセスノードは、マクロ移動管理に関する最適なルーティングもチェックするよう構成される。このため、アクセスノードは、使用すべき最も好ましい移動エンティティ、通常は、最も近くにあるものが分かる。移動エンティティは、マクロ移動レベルにアタッチメントポイントを与えるいかなるエンティティでもよく、例えば、移動ＩＰ型の移動管理における移動エージェントでよい。ハンドオーバー状態において、システム、好ましくは、アクセスノードは、セッションの現在移動エンティティに置き換わらねばならない更に好ましい移動エンティティがあるかどうかチェックする。そのアクセスノードに対して好ましい移動エンティティがないか、又は好ましい移動エンティティがセッションの現在移動エンティティと同じであると思われる場合には、現在移動エンティティが維持される。しかしながら、そのアクセスノードに対して更に好ましい移動エンティティがあり、そしてその好ましい移動エンティティが現在移動エンティティと同じでない場合には、現在移動エンティティへの接続（例えば、ＰＤＰコンテキスト）が解放（解除）されると共に、各アクセスノードの好ましい移動エンティティへの新たな接続（例えば、ＰＤＰコンテキスト）が確立されるのが好ましい。特定のマクロ移動管理構成に基づく登録を行うことができる。
【手続補正３】
【補正対象書類名】明細書
【補正対象項目名】００１５
【補正方法】変更
【補正の内容】
【００１５】
パケットアクセスネットワークでは、移動ノードに関連した移動ステーションは、２つ以上のパケットプロトコル（ＰＤＰ）コンテキストを同時に生成することができる。移動ステーションが有するマクロ移動関連ＰＤＰコンテキストに対して上述した新たな接続を確立しなければならない。しかしながら、全てのＰＤＰコンテキストが必ずしもマクロ移動管理に関連するのではなく、それ故、移動エンティティの変化に含まれなくてもよい。従って、アクセスノードは、マクロ移動管理専用のＰＤＰコンテキストを移動ステーションの他のアクティブなＰＤＰコンテキストから区別することができねばならない。本発明の実施形態では、古いアクセスノードから新たなアクセスノードへ転送される情報に、異なる形式のＰＤＰコンテキスト又は少なくともマクロ移動管理関連のＰＤＰコンテキストを指示する情報フィールドが与えられる。これは、ＰＤＰコンテキスト形式を区別できるようにし、それ故、マクロ移動管理関連のＰＤＰコンテキストを確認することができ、そしてその確認されたＰＤＰコンテキストの移動エンティティをアクセスノードにより切り換えることができる。
ルートの最適化は、パケット無線システムにおいて送信リソースを節約し、そしておそらく、アクセスノードと移動エンティティとの間の接続脚が短くなるので、接続を迅速に行うことができる。
【手続補正４】
【補正対象書類名】明細書
【補正対象項目名】００１７
【補正方法】変更
【補正の内容】
【００１７】
３Ｇ無線アクセス（ＵＭＴＳのような）又は２Ｇ無線アクセス（ＧＳＭのような）を使用するＧＰＲＳアーキテクチャーが図１に示されている。ＧＰＲＳインフラストラクチャーは、ＧＰＲＳゲートウェイサポートノード（ＧＧＳＮ）及びＧＰＲＳサービスサポートノード（ＳＧＳＮ）のようなサポートノードを備えている。ＧＧＳＮノードの主たる機能は、外部データネットワークとの対話を含む。ＧＧＳＮは、ＭＳの経路に関してＳＧＳＮにより供給されるルート情報を使用して位置ディレクトリを更新し、そしてカプセル化された外部データネットワークプロトコルパケットを、ＧＰＲＳバックボーンを経て、ＭＳに現在サービスするＳＧＳＮにルート指定する。又、これは、外部データネットワークパケットをカプセル解除して適当なデータネットワークに転送し、そしてデータトラフィックの勘定を取り扱う。
ＳＧＳＮの主たる機能は、そのサービスエリアにおいて新たなＧＰＲＳ移動ステーションを検出し、ＧＰＲＳレジスタに新たなＭＳを登録する処理を取り扱い、ＧＰＲＳ ＭＳへ／からデータパケットを送信／受信し、そしてそのサービスエリア内におけるＭＳの位置の記録を保持する。契約情報は、ＧＰＲＳレジスタ（ＨＬＲ）に記憶され、このレジスタには、移動ステーションの識別（ＭＳ−ＩＳＤＮ又はＩＭＳＩのような）とＰＳＰＤＮアドレスとの間のマッピングも記憶される。ＧＰＲＳレジスタは、データベースとして働き、そこから、ＳＧＳＮは、そのエリア内の新たなＭＳがＧＰＲＳネットワークに参加することが許されるかどうかについて尋ねることができる。
【手続補正５】
【補正対象書類名】明細書
【補正対象項目名】００２５
【補正方法】変更
【補正の内容】
【００２５】
ここで、ＭＳ／ＭＮが、サポートノードＳＧＳＮ２によりサービスされる別のＧＰＲＳ／３Ｇネットワーク２のサービスエリアへ移動すると仮定する。ＭＳ／ＭＮが新たなＲＡＮ２に到着すると、ＭＳ部分は、無線パラメータ、ネットワーク及びセル識別等に関する情報と、使用可能なコアネットワーク、サービスプロバイダー、サービス能力等に関する情報とを含む無線ブロードキャストメッセージを聴取する。ブロードキャストメッセージに基づいて、ＭＳは、ネットワーク及びルートエリアが変化したと決定する。ルートエリアの変化を検出すると、ＭＳ／ＭＮは、図２に示すように、新たなＳＧＳＮ即ちＳＧＳＮ２にルートエリア更新要求を送信する。新たなＳＧＳＮ２は、ＳＧＳＮコンテキスト要求メッセージを古いＳＧＳＮ１に送信し（ステップ２）、ＭＳ／ＭＮに対するＭＮ及びＰＤＰコンテキストを得る。古いＳＧＳＮ１は、ＭＮ及びＰＤＰコンテキストを含むＳＧＳＮコンテキスト応答メッセージで応答する（ステップ３）。本発明の好ましい実施形態によれば、古いアクセスノードからそのアクセスノードへ転送される情報には、異なる形式のＰＤＰコンテキスト又は少なくとも移動ＩＰ関連のＰＤＰコンテキストを指示する情報フィールドが設けられる。これは、ＳＧＳＮが、移動ＩＰ専用のＰＤＰコンテキストを、移動エージェントの変化に含まれてはならない移動ステーションの他のアクティブなＰＤＰコンテキストから区別できるようにする。ＰＤＰコンテキスト形式情報を実施するやり方は、種々のものが考えられる。例えば、ＧＰＲＳのＳＧＳＮコンテキスト応答メッセージ（及びＵＭＴＳの順方向ＳＮＲＣリロケーションメッセージ）で搬送されるＰＤＰコンテキスト情報エレメントには、ＰＤＰコンテキストにわたって使用されるサービスの形式を指示するフィールドを設けることができる。この形式フィールドは、移動ＩＰ ＰＤＰコンテキストを指示する値を有するアクセスポイント名を含んでもよい。ＰＤＰコンテキスト情報エレメントのスペアビットが新たなフィールドとして使用されてもよいし、或いは新たなフィールドは、現在ＰＤＰコンテキスト情報エレメントフォーマットの拡張であってもよい。しかしながら、その厳密な実施は、本発明に関与しないことに注意されたい。この特定の実施形態では、古いＳＧＳＮから受け取られた情報により、新たなＳＧＳＮが、どのＰＤＰコンテキストが移動ＩＰ専用であるかを決定できるという点でのみ関与する。
【手続補正６】
【補正対象書類名】図面
【補正対象項目名】図１
【補正方法】変更
【補正の内容】
【図１】
2005102261.tif 000001